(57)【要約】【課題】画面サイズの任意調整の時間短縮と簡易的かつ直感的な操作が可能な画像表示装置を提供することを目的とする。【解決手段】画像表示装置は、レーザー光を射出するリモートコントローラー２と、レーザー光がスクリーン３に成す輝点とスクリーン３に投射された表示画像６とを含む領域を撮影して撮像データを出力する撮像部１９と、を備え、撮像データに基づいて輝点の位置を算出し、表示画像６の頂点位置を変更することによって表示画像６の形状を調整する。【選択図】図１
2012151584.tif 000002
【特許請求の範囲】
【請求項１】
レーザー光を射出するレーザー光源を有するリモートコントローラーと、
入力された画像信号に基づく画像を表示面に表示させる画像表示部と、
前記レーザー光が前記表示面に成す輝点と前記表示面に表示される前記画像とを含む領域を撮影して撮像データを出力する撮像素子と、
前記撮像データに基づき、前記輝点の位置を表す輝点位置を算出する輝点位置算出部と、
前記輝点位置に基づき、前記表示面に表示された前記画像の外形を成す領域のいずれかの頂点の位置の移動量を表す頂点移動量を算出する頂点移動量算出部と、
前記頂点移動量に基づき前記画像の形状を調整する画像調整部と、
を備えることを特徴とする画像表示装置。
【請求項２】
前記リモートコントローラーは前記レーザー光源を点滅させることを特徴とする請求項１に記載の画像表示装置。
【請求項３】
前記画像調整部は、前記表示された画像のアスペクト比を調整することを特徴とする請求項１または２に記載の画像表示装置。
【請求項４】
前記画像調整部は、前記表示された画像の外形を表す領域の、いずれかの頂点の位置を調整することを特徴とする請求項１ないし３のいずれか一項に記載の画像表示装置。
【請求項５】
前記画像表示部は、前記画像を前記画像表示装置の外部の表示面に投射することによって表示させる投射光学装置を備えていることを特徴とする請求項１ないし４のいずれか一項に記載の画像表示装置。
【請求項６】
レーザー光を射出するレーザー光源を有するリモートコントローラーを含む画像表示装置における画像調整方法であって、
前記画像表示装置の画像表示部に、入力された画像信号に基づく画像を表示面に表示させるステップと、
前記画像表示装置の撮像素子に、前記レーザー光が前記表示面に成す輝点と前記表示面に表示される前記画像とを含む領域を撮影して撮像データを出力させるステップと、
前記画像表示装置の輝点位置算出部に、前記撮像データに基づき、前記輝点の位置を表す輝点位置を算出させるステップと、
前記画像表示装置の頂点移動量算出部に、前記輝点位置に基づき、前記表示面に表示された前記画像の外形を成す領域のいずれかの頂点の位置の移動量を表す頂点移動量を算出させるステップと、
前記画像表示装置の画像調整部に、前記頂点移動量に基づき前記画像の形状を調整させるステップと、
を備えることを特徴とする画像調整方法。
【発明の詳細な説明】
【技術分野】
【０００１】
本発明は、画像表示装置、および画像表示装置の画面サイズの画像調整方法に関する。
【背景技術】
【０００２】
従来から、投射面に画像を拡大して投影表示するためのプロジェクター（画像表示装置）が提案されている。そのようなプロジェクターの中には、投射面（表示面）に対してプロジェクターを傾けて画像光を投射する場合に生じる画像の歪み、いわゆる台形歪を補正するための手段を備えたものがある（例えば特許文献１）。
また、電動ズーム機構を有する投射レンズを備えたプロジェクターが提案されている。そのようなプロジェクターは、ズーム比を調整するための操作ボタン等を操作することにより、投射面に投影表示される画像の大きさを任意に調整することができる（例えば特許文献２）。
【先行技術文献】
【特許文献】
【０００３】
【特許文献１】特開２０１０−２５００４１号公報
【特許文献２】特開２００１−３１２０００号公報
【発明の概要】
【発明が解決しようとする課題】
【０００４】
しかしながら、従来の画像表示装置には、台形歪の補正や、投射面に投影表示される画像のサイズの調整をする場合、プロジェクター本体に設けられた操作パネルや、プロジェクター本体を遠隔操作するためのリモートコントローラーの操作が煩雑であった。また、プロジェクター本体と投射面との距離が、リモートコントローラーからの操作信号によりプロジェクター本体を遠隔操作可能となる距離を越えている場合、プロジェクター本体の操作パネルを直接操作するか、リモートコントローラーからの操作信号が届く位置でプロジェクター本体を遠隔操作する必要があるため、使用者の移動が伴う等の手間があった。また、投射面に投影表示される画像を間近で確認しながら調整をすることができないという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる画像表示装置は、レーザー光を射出するレーザー光源を有するリモートコントローラーと、入力された画像信号に基づく画像を表示面に表示させる画像表示部と、前記レーザー光が前記表示面に成す輝点と前記表示面に表示される前記画像とを含む領域を撮影して撮像データを出力する撮像素子と、前記撮像データに基づき、前記輝点の位置を表す輝点位置を算出する輝点位置算出部と、前記輝点位置に基づき、前記表示面に表示された前記画像の外形を成す領域のいずれかの頂点の位置の移動量を表す頂点移動量を算出する頂点移動量算出部と、前記頂点移動量に基づき前記画像の形状を調整する画像調整部と、を備えることを特徴とする。
【０００７】
上記適用例によれば、画像表示装置のユーザーは、リモートコントローラーの向きを変えることによって表示面上にレーザー光が成す輝点の位置を自由に移動させることができるので、表示面に画像が表示される領域の形状を直感的に変更することが可能な、操作性の高い画像表示装置を提供することができる。
【０００８】
［適用例２］上記適用例にかかる画像表示装置において、前記リモートコントローラーは前記レーザー光源を点滅させることを特徴とする。
【０００９】
上記適用例によれば、室内灯や外光による反射光が撮像データに写りこんだとしても、表示面上に成すレーザー光の輝点は点滅しているので、レーザー光が成す輝点と照明等の反射光とを確実に識別することができ、正確に輝点位置を算出することが可能となる。
【００１０】
［適用例３］上記適用例にかかる画像表示装置において、前記画像調整部は、前記表示された画像のアスペクト比を調整することを特徴とする。
【００１１】
上記適用例によれば、画像表示装置のユーザーは、リモートコントローラーの向きを変えることによって表示面上にレーザー光が成す輝点の位置を自由に移動させることで、表示面に表示される画像のアスペクト比を容易に変更することが可能となる。
【００１２】
［適用例４］上記適用例にかかる画像表示装置において、前記画像調整部は、前記表示された画像の外形を表す領域の、いずれかの頂点の位置を調整することを特徴とする。
【００１３】
上記適用例によれば、画像表示装置のユーザーは、リモートコントローラーの向きを変えることによって表示面上にレーザー光が成す輝点の位置を自由に移動させることで、表示面に表示される画像の外形を表す四角形の頂点位置を、容易に変更することが可能となる。
【００１４】
［適用例５］上記適用例にかかる画像表示装置において、前記画像表示部は、前記画像を前記画像表示装置の外部の表示面に投射することによって表示させる投射光学装置を備えていることを特徴とする。
【００１５】
上記適用例によれば、画像表示装置は、外部の表示面、すなわちスクリーンに画像光を投射する投射光学装置を備えているので、画像を拡大して表示させることができる。また、画像表示装置を制御するためにリモートコントローラーから発射される制御信号（例えば赤外光）が画像表示装置に届かない場合でも、リモートコントローラーから発射されるレーザー光をスクリーンに照射できる位置であれば、表示面に表示される画像の形状を変更することが可能となる。
【００１６】
［適用例６］本適用例にかかる画像調整方法は、レーザー光を射出するレーザー光源を有するリモートコントローラーを含む画像表示装置における画像調整方法であって、前記画像表示装置の画像表示部に、入力された画像信号に基づく画像を表示面に表示させるステップと、前記画像表示装置の撮像素子に、前記レーザー光が前記表示面に成す輝点と前記表示面に表示される前記画像とを含む領域を撮影して撮像データを出力させるステップと、前記画像表示装置の輝点位置算出部に、前記撮像データに基づき、前記輝点の位置を表す輝点位置を算出させるステップと、前記画像表示装置の頂点移動量算出部に、前記輝点位置に基づき、前記表示面に表示された前記画像の外形を成す領域のいずれかの頂点の位置の移動量を表す頂点移動量を算出させるステップと、前記画像表示装置の画像調整部に、前記頂点移動量に基づき前記画像の形状を調整させるステップと、を備えることを特徴とする。
【００１７】
上記適用例に記載の画像調整方法によれば、リモートコントローラーの向きを変えることによって表示面上にレーザー光が成す輝点の位置を自由に移動させることができるので、表示面に表示される画像の形状を直感的に変更することができる。
【図面の簡単な説明】
【００１８】
【図１】本実施形態に係る画像表示装置の内部構成を表すブロック図である。
【図２】本実施形態に係る画像表示装置を含む投射型表示システムの構成図である。
【図３】本実施形態に係る画像表示装置における画像調整のフローチャートである。
【図４】本実施形態に係る画像表示装置における画像調整の説明図である。
【発明を実施するための形態】
【００１９】
次に図面を参照して、本発明の好適な実施の形態について説明する。図１は、本実施形態に係る画像表示装置の内部構成を表すブロック図である。本実施形態のプロジェクター１が画像表示装置に対応する。
【００２０】
プロジェクター１は、画像信号入力部１１、画像処理部１２、ＯＳＤ処理部１３、台形歪補正部１４、入力操作受付部１５、制御部１６、光源制御部１７、画像投射部１８、撮像部１９等を備えている。
【００２１】
画像信号入力部１１には、パーソナルコンピューターやビデオ再生装置等、外部の画像供給装置（図示せず）とケーブルを介した接続を行うための各種の画像入力端子が備えられており、画像供給装置から画像信号が入力される。画像信号入力部１１は、入力される画像信号を、画像処理部１２で処理可能な形式の画像データに変換して、画像処理部１２に出力する。
【００２２】
画像処理部１２は、後述する制御部１６からの指示に基づいて、画像信号入力部１１から入力される画像データに対して、明るさ、コントラスト、シャープネス、色合い等の調整や、ガンマ補正等の各種画質調整を施す。画像処理部１２は、このような調整および処理を行った画像データをＯＳＤ処理部１３に出力する。
【００２３】
ＯＳＤ処理部１３は、制御部１６からの指示に基づいて、メニュー画面やメッセージ画面等のＯＳＤ（オンスクリーンディスプレイ）画像を、画像処理部１２から入力される画像データに重畳する処理を行う。ＯＳＤ処理部１３は、ＯＳＤメモリー１３ａを備えており、ＯＳＤ画像を形成するための図形やフォント等を表すＯＳＤ画像データを記憶している。
制御部１６が、ＯＳＤ画像の重畳を指示すると、ＯＳＤ処理部１３は、必要なＯＳＤ画像データをＯＳＤメモリー１３ａから読み出し、入力画像の所定の位置にＯＳＤ画像が重畳されるように、画像処理部１２から入力される画像データにこのＯＳＤ画像データを合成する。ＯＳＤ画像データが合成された画像データは、台形歪補正部１４に出力される。
なお、制御部１６からＯＳＤ画像を重畳する旨の指示がない場合には、ＯＳＤ処理部１３は、画像処理部１２から出力される画像データを、そのまま台形歪補正部１４に出力する。
【００２４】
台形歪補正部１４は、スクリーン３に対してプロジェクター１を傾けた状態で画像を投射する場合に、投射画像が傾斜方向に拡大してしまう歪（台形歪）を抑制するために、入力される画像データの補正（台形歪補正）を行う。後述する入力操作受付部１５の複数のキーをユーザーが押下したことにより入力される操作情報のうち、台形歪補正指示の情報に基づいて、制御部１６は、台形歪補正部１４に対して台形歪補正の実施を指示し、台形歪補正部１４は台形歪補正を実施する。
【００２５】
入力操作受付部１５は、プロジェクター１に対する各種の入力操作を受け付けるための複数のキー等を備えている。入力操作受付部１５が備えるキーとしては、電源のオン／オフを行うための「電源キー」や、入力ソースを切り替えるための「入力切替キー」、各種設定を行うためのメニュー画面の表示／非表示を切り替える「メニューキー」、メニュー画面における上下方向のカーソルの移動や、台形歪の補正に用いられる「上キー」および「下キー」、メニュー画面における左右方向のカーソルの移動等に用いられる「左キー」および「右キー」、各種設定を決定するための「決定キー」、各種操作の取消等を指示するための「取消キー」等がある。
【００２６】
ユーザーが入力操作受付部１５を操作すると、入力操作受付部１５は、ユーザーの操作内容に応じた操作信号を制御部１６に出力する。なお、入力操作受付部１５は、リモートコントローラー（リモコン）信号受信部（図示せず）と遠隔操作が可能なリモートコントローラー２を有した構成としてもよい。
リモートコントローラー２は、ユーザーによって操作可能な複数のファンクションキーを備え、操作内容に応じた操作信号を発し、リモコン信号受信部がこれを受信して制御部１６に伝達する。リモートコントローラー２は赤外線を用いて操作信号をプロジェクター１に送信してもよい。また、リモートコントローラー２はレーザー光源２１を備え、表示面としてのスクリーン３上にレーザー光を射出し輝点を表示することができる。
【００２７】
制御部１６は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。制御部１６は、ＣＰＵが不揮発性のメモリーに記憶されている制御プログラムに従って動作することにより、プロジェクター１の動作を統括制御する。
【００２８】
また、制御部１６は、後述する撮像部１９から入力される撮像画像データを分析して、リモートコントローラー２のレーザー光源２１から射出されたレーザー光がスクリーン３上に成す輝点の位置を算出する輝点位置算出部１６１、算出された輝点位置に基づき、スクリーン３に表示された画像の外形を成す領域のいずれかの頂点の位置の移動量を表す頂点移動量を算出する頂点移動量算出部１６２、算出された頂点移動量に基づき画像の形状を調整する画像調整部１６３として機能する。輝点位置算出部１６１、頂点移動量算出部１６２、および画像調整部１６３の詳細は後述する。
【００２９】
光源制御部１７は、制御部１６からの指示に基づいて、後述する光源１８１に対する電力の供給と停止とを制御し、光源１８１の点灯および消灯を切り替える。また、制御部１６からの指示に従い、光源１８１に供給する駆動電力を変更して、光源１８１の出力輝度を変更する。具体的には、高輝度モードと低輝度モードを切り替える。
【００３０】
画像投射部１８は、超高圧水銀ランプやメタルハライドランプ等の放電型光源や、ＬＥＤ（Light Emitting Diode）やレーザー等の固体光源からなる光源１８１と、光源１８１から射出される光を変調する光変調装置としての液晶ライトバルブ１８２と、液晶ライトバルブ１８２から射出される変調光をスクリーン３等に拡大投射する投射光学系としての投射レンズ１８３と、を含んでいる。また、液晶ライトバルブ１８２を駆動するライトバルブ駆動部１８４を備えている。
【００３１】
液晶ライトバルブ１８２は、一対の透明基板間に液晶が封入された液晶パネル等によって構成される。一方の透明基板には、共通電極と称する透明電極が形成されており、他方の透明基板には略矩形の透明電極がマトリックス状に形成されている。
透明基板間に封入された液晶に対して、画素電極毎にそれぞれ異なる駆動電圧を印加可能に構成されている。ライトバルブ駆動部１８４は、プロジェクター１に入力される画像信号に対して各種の画像処理を施された信号に基づき、液晶ライトバルブ１８２を駆動するための駆動電圧を生成する。ライトバルブ駆動部１８４から供給される駆動電圧は、液晶ライトバルブ１８２の透明電極に設けられた各画素電極に印加される。
透明基板間に封入された液晶分子の配向は、画素電極に印加される駆動電圧に応じて変化することにより、画素を透過する光の透過率が変化する。これによって、光源１８１から液晶ライトバルブ１８２に入射する光が画像信号に応じて変調される。液晶ライトバルブ１８２で変調された光は、投射レンズ１８３を経てスクリーン３（表示面）に投射され、画像が表示される。
【００３２】
撮像部１９は、スクリーン３に表示された画像を撮影して撮像画像データを出力する。撮像部１９が出力した撮像画像データは、制御部１６に入力される。撮像部１９は、ＣＣＤ（Charge Coupled Device）やＣＭＯＳ（Complementary Metal Oxide Semiconductor）等の固体撮像素子を用いて構成することができる。
【００３３】
図２は、本実施形態に係る画像表示装置を含む投射型表示システムの構成図である。投射型表示システム１００は、プロジェクター１、リモートコントローラー２、スクリーン３等を備えている。プロジェクター１には、スクリーン３に表示された画像を撮影して撮像画像データを出力する撮像部１９が設けられている。プロジェクター１は、投射レンズ１８３で変調された画像光をスクリーン３に投射する。スクリーン３には、プロジェクター１に入力される画像信号に基づいて液晶ライトバルブ１８２によって変調された表示画像６が投射される。
ここで、表示画像６は液晶ライトバルブ１８２の光変調面の一部の領域を用いて変調された画像光である。液晶ライトバルブ１８２の光変調面における前記一部の領域を除く他の領域を、マスク領域５とする。マスク領域５に対応する画素には、光透過率が十分に低くなるような駆動電圧が設定されるものとする。リモートコントローラー２は、レーザー光を射出するレーザー光源２１を備えており、スクリーン３上に、輝点としてのポイントマークＰを表示する。
【００３４】
以下では、図３および図４を参照して、画像信号入力部１１に入力された画像信号に基づく表示画像６をスクリーン３上に表示させている状態で、表示画像６のアスペクト比を維持したまま、画像サイズを変更（画像調整）する例を用いて本実施形態における画像調整方法を説明する。
図３は、本実施形態に係る画像表示装置における画像調整のフローチャートである。図４は、本実施形態に係る画像表示装置における画像調整の説明図である。
【００３５】
まず、プロジェクター１のユーザーが入力操作受付部１５通じて投射画像のサイズをマニュアル変更する機能を選択したこと、すなわちモード変更要因が検出されると（ステップＳ１１：Ｙｅｓ）、プロジェクター１は、動作モードを画像サイズマニュアル調整モードに遷移させる（ステップＳ１２）。入力操作受付部１５に対するユーザーの操作がモード変更要因でない場合は（ステップＳ１１：Ｎｏ）、処理を終了する。
【００３６】
さらに、図４（ａ）に示すように、スクリーン３に、現在の動作モードが画像サイズマニュアル調整モードであることを示す第１のメッセージ６１を含む表示画像６を投射する（ステップＳ１３）。
第１のメッセージ６１は、投射画像のサイズをマニュアル変更する手順をユーザーに知らせる説明文を含んでいることが好ましい。例えば、「リモートコントローラーのレーザーポインターを用いて画面右下の角の移動先を指示してください。」といったメッセージを表示することにより、プロジェクター１のユーザーを適切に誘導することができる。
プロジェクター１のユーザーは、第１のメッセージ６１の指示に従い、リモートコントローラー２のレーザー光源２１から発射されるレーザー光を用いて、ポイントマークＰ１をスクリーン３上に表示する。なお、リモートコントローラー２のレーザー光源２１は、所定の周期で点滅するように構成されており、ポイントマークＰ１もスクリーン３上で点滅する。
【００３７】
プロジェクター１は、第１のメッセージ６１を投射したあと、撮像部１９で表示画像６およびポイントマークＰ１を含む一点鎖線で示した矩形の領域を撮影して得られる撮像データ７を図示しない記憶装置（例えばＲＡＭ）に保存する（ステップＳ１４）。
【００３８】
プロジェクター１の制御部１６は、記憶装置に保存された撮像データ７を読み出して輝点位置算出部１６１に入力し、撮像データ７に含まれるポイントマークＰ１（輝点）の位置を算出する（ステップＳ１５）。
ポイントマークＰ１（輝点）の位置は、複数の撮像データ７を用いて算出することが好ましい。例えば、所定のフレームレートで撮影された複数の撮像データ７を用いることにより、輝点の位置を正確に求めることができる。
【００３９】
また、輝点位置算出部１６１は、予め記憶されているリモートコントローラー２のレーザー光源２１の所定の点滅周期と、撮像部１９によって生成された複数の撮像データ７から求められるポイントマークＰ１（輝点）の点滅周期とを照合することによってポイントマークＰ１（輝点）の位置を算出することもできる。
記憶されている所定の点滅周期と、輝点の点滅周期とが一致した場合、撮像データ７に含まれる輝点がポイントマークＰ１であると判断して輝点の位置、すなわちポイントマークＰ１の位置として算出する。
次に、プロジェクター１の制御部１６は、ポイントマークＰ１（輝点）の位置を算出できたか否かを判定する（ステップＳ１６）。
ポイントマークＰ１（輝点）の位置を算出できた場合（ステップＳ１６：Ｙｅｓ）は、輝点の位置を出力し、次のステップＳ１７に進む。また、輝点の点滅周期が所定の周期と一致しなかった場合など撮像データ７の中にポイントマークＰ１（輝点）を算出できなかった場合（ステップＳ１６：Ｎｏ）は、ステップＳ１４に戻り以降の処理を繰り返す。
【００４０】
図４（ｂ）に示すように、ポイントマークＰ１が撮像データ７に含まれている場合は、ポイントマークＰ１を通る線分ＬＶ１をスクリーン３に投射してもよい。このような構成によれば、プロジェクター１のユーザーは、サイズ変更後の表示画像６の右端側の位置をイメージしやすい。
【００４１】
続いて、算出したポイントマークＰ１の位置に基づき、表示画像６の外形を成す領域の右下角の頂点の位置の移動量を、頂点移動量算出部１６２を用いて算出する（ステップＳ１７）。
画像調整部１６３は、算出された頂点位置移動量に基づき、表示画像６の形状を変形させ画像調整する（ステップＳ１８）。
【００４２】
次に、プロジェクター１は、図４（ｃ）に示すように、第２のメッセージ６２を含む画像調整した表示画像６をスクリーン３に投射する（ステップＳ１９）。
第２のメッセージ６２は、投射画像のサイズをマニュアル変更する手順をユーザーに知らせる説明文を含んでいることが好ましい。例えば、「リモートコントローラーのレーザーポインターを用いて画面左上の角の移動先を指示してください。」といったメッセージを表示することにより、プロジェクター１のユーザーを適切に誘導することができる。
プロジェクター１のユーザーは、第２のメッセージ６２の指示に従い、リモートコントローラー２のレーザー光源２１から発射されるレーザー光を用いて、ポイントマークＰ２をスクリーン３上に表示する。
【００４３】
プロジェクター１は、第２のメッセージ６２を投射したあと、撮像部１９で表示画像６を撮影して撮像データ７を図示しない記憶装置（例えばＲＡＭ）に保存する（ステップＳ２０）。
次に、前述のステップＳ１５と同様にプロジェクター１の制御部１６は、記憶装置に保存された撮像データ７を読み出して輝点位置算出部１６１に入力し、撮像データ７に含まれるポイントマークＰ２（輝点）の位置を算出する（ステップＳ２１）。なお、ステップＳ１５と同様な処理についての説明は省略する。
予め記憶されているリモートコントローラー２のレーザー光源２１の所定の点滅周期と、撮像部１９によって生成された複数の撮像データ７から求められるポイントマークＰ２（輝点）の点滅周期とが一致した場合、撮像データ７に含まれる輝点がポイントマークＰ２であると判断して輝点の位置、すなわちポイントマークＰ２の位置として算出する。
次に、プロジェクター１の制御部１６は、ポイントマークＰ２（輝点）の位置を算出できたか否かを判定する（ステップＳ２２）。
ポイントマークＰ２（輝点）の位置を算出できた場合（ステップＳ２２：Ｙｅｓ）は、輝点の位置を出力し、次のステップＳ２３に進む。また、輝点の点滅周期が所定の周期と一致しなかった場合など撮像データ７の中にポイントマークＰ２（輝点）を算出できなかった場合（ステップＳ２２：Ｎｏ）は、ステップＳ２０に戻り以降の処理を繰り返す。
図４（ｄ）に示すように、ポイントマークＰ２の一部が撮像データ７に含まれている場合は、ポイントマークＰ２を通る線分ＬＶ２をスクリーン３に投射してもよい。このような構成によれば、プロジェクター１のユーザーは、サイズ変更後の表示画像６の左端側の位置をイメージしやすい。  
【００４４】
続いて、算出したポイントマークＰ２の位置に基づき、表示画像６の外形を成す領域の左上角の頂点の位置の移動量を、頂点移動量算出部１６２を用いて算出する（ステップＳ２３）。
画像調整部１６３は、算出された頂点位置移動量に基づき、表示画像６の形状を変形させ画像調整する（ステップＳ２４）。なお、本発明を説明するために、図４（ｂ）〜（ｄ）に、画像サイズの調整を行なう前の表示画像６の外形を表す破線を記載したが、この破線をスクリーン３に投射可能にするか否かは適宜に選択することができる。
【００４５】
以上のステップを終了すると、プロジェクター１は、図４（ｅ）に示すように、画像サイズのマニュアル調整が完了したことをユーザーに伝えるための第３のメッセージ６３を投射する（ステップＳ２５）。
第３のメッセージ６３は、サイズ調整を継続するかユーザーに選択させる方法を知らせるメッセージを含んでおり、画像調整を終了するか否かの選択を受け付ける（ステップＳ２６）。
プロジェクター１のユーザーが画像調整の終了を希望した場合は（ステップＳ２６：Ｙｅｓ）、通常の動作モードに遷移する。プロジェクター１のユーザーが画像調整の継続を希望した場合は（ステップＳ２６：Ｎｏ）、ステップＳ１３に戻り、以降の処理を繰り返す。
【００４６】
上述した実施形態では、表示画像６のアスペクト比を維持したまま、スクリーン３に表示される画像サイズの大きさを変更する例を説明したが、発明はこれに限定されるものではない。例えば、表示画像６の外形を表す領域の任意の頂点の位置を、隣接する他の頂点位置と連動して移動させることによって、スクリーン３に投射される表示画像６のアスペクト比を変更させることも可能である。さらに、表示画像６の外形を表す領域の任意の頂点の位置を、他の頂点の位置と連動させること無く、個別に移動させてもよい。このような構成によれば、台形補正のマニュアル調整が可能となる。
【００４７】
上述した実施形態では、光変調装置として液晶ライトバルブ１８２を利用したプロジェクター１を例示して発明を説明したが、マイクロミラーデバイスを光変調装置として採用することもできる。
【符号の説明】
【００４８】
１…プロジェクター、２…リモートコントローラー、３…スクリーン、１１…画像信号入力部、１２…画像処理部、１３…ＯＳＤ処理部、１３ａ…ＯＳＤメモリー、１４…台形歪補正部、１５…入力操作受付部、１６…制御部、１７…光源制御部、１８…画像投射部、１９…撮像部、２１…レーザー光源、１６１…輝点位置算出部、１６２…頂点移動量算出部、１６３…画像調整部、１８１…光源、１８２…液晶ライトバルブ、１８３…投射レンズ、１８４…ライトバルブ駆動部。
【図１】
2012151584.tif 000003
【図２】
2012151584.tif 000004
【図３】
2012151584.tif 000005
【図４】
2012151584.tif 000006